(57)【要約】  【課題】建設現場等において、省エネや作業効率向上の観点から、複数の照明のＯＮ−ＯＦＦ（点灯／消灯）動作や調光動作を一括して管理する照明管理システムを提供することを目的とする。  【解決手段】本考案に係る照明制御システムは、複数の照明を一括して管理するためのシステムであって、上記複数の照明それぞれのＯＮ−ＯＦＦおよび／または調光を行うために上記複数の照明それぞれに対する電力供給を制御する照明制御手段と、当該照明制御手段を制御するための集中制御手段とを有し、上記集中制御手段は、上記複数の照明それぞれのＯＮ−ＯＦＦ状態および／または調光状態を決定する状態管理項目を入力する入力手段である管理項目入力手段と、当該状態管理項目に基づいて、上記照明制御手段に電気的信号を送信する信号送信手段と、上記複数の照明それぞれのＯＮ−ＯＦＦ状態および／または調光状態を表示する照明状態表示手段とを備えたものである。  【選択図】図１
0003210991.tif 000002
【実用新案登録請求の範囲】
【請求項１】
一時的に設置される複数の照明を一括して管理するための照明制御システムであって、
上記複数の照明それぞれのＯＮ−ＯＦＦおよび／または調光を行うために上記複数の照明それぞれに対する電力供給を制御する照明制御手段と、
当該照明制御手段を制御するための集中制御手段と、
を有し、
上記集中制御手段は、
上記複数の照明それぞれのＯＮ−ＯＦＦ状態および／または調光状態を決定する状態管理項目を入力する入力手段である管理項目入力手段と、
当該状態管理項目に基づいて、上記照明制御手段に電気的信号を送信する信号送信手段と、
上記複数の照明それぞれのＯＮ−ＯＦＦ状態および／または調光状態を表示する照明状態表示手段と
を備えた照明制御システム。
【請求項２】
上記一時的に設置される複数の照明は、建設現場において一時的に設置される複数の照明である
ことを特徴とする請求項１に記載の照明制御システム。
【請求項３】
上記状態管理項目は、上記複数の照明それぞれのＯＮ−ＯＦＦ状態および／または調光状態を開始および／または終了する時刻情報を含む
ことを特徴とする請求項１または２に記載の照明制御システム。
【請求項４】
上記集中制御手段が広域通信網に接続され、
当該広域通信網によって接続された端末の要求に応じて、当該端末に対して上記複数の照明それぞれのＯＮ−ＯＦＦ状態および／または調光状態に関する情報を送信する
ことを特徴とする請求項１から３のいずれかに記載の照明制御システム。
【請求項５】
上記集中制御手段が広域通信網に接続され、
当該広域通信網によって接続された端末から、上記複数の照明それぞれのＯＮ−ＯＦＦ状態および／または調光状態に関する情報を受信し、
当該端末からの当該情報に基づいて、上記信号送信手段が上記照明制御手段に電気的信号を送信する
ことを特徴とする請求項１から４のいずれかに記載の照明制御システム。
【請求項６】
上記照明制御手段は、上記複数の照明に加えて、照明以外の電気機器のＯＮ−ＯＦＦおよび／または電力制御を行う
ことを特徴とする請求項１から５のいずれかに記載の照明制御システム。
【請求項７】
上記集中制御手段は認証手段をさらに有する
ことを特徴とする請求項１から６のいずれかに記載の照明制御システム。
【考案の詳細な説明】
【技術分野】
【０００１】
本考案は、ＰＣやスマートフォン等の情報端末から一括制御を可能とする照明制御システムに関するものであり、特に建設現場等の一時的に設営を行う現場における照明制御に最適なシステムである。
【背景技術】
【０００２】
建設現場等の一時的に設営を行う現場においては、数多くの照明をいくつかの分電盤で管理している。特に広大な現場においては、照明の操作を行うために、分電盤まで足を運ぶ必要があり、時間と手間が掛かるという問題がある。
また、点灯が必要な照明のスイッチを分電盤から選び、それらのスイッチだけを手動でＯＮにすることは、数多くの照明がある場合には煩雑であるゆえに困難が伴っていた。
【０００３】
そこで、分電盤をできるだけ照明の近くに配置し、分電盤までの距離を短くしたり、照明と分電盤のスイッチとの対応関係を明確したりするような表示を行うといった工夫も考慮されている。
【考案の概要】
【考案が解決しようとする課題】
【０００４】
しかしながら、建設現場等においては、照明の位置等は恒常的なものではなく、工程が進むにしたがって随時変更が必要となる。したがって、その度ごとに分電盤の位置を変えたり、照明との対応付けのための表示を細かく行ったりすることは、現実的な解決策とは言えない。
【０００５】
また、建設現場等においては、分電盤は照明だけではなく、他の機器への電力供給にも用いられる。例えば、高所作業車等に用いるバッテリーのように、充電のために大電力を必要とするものがある。複数のバッテリーを同時に充電しようとすると、分電盤の供給電力値を大きくする必要があるといった別の問題も生じる。
【０００６】
本考案はこのような問題を解決するためになされたものであり、複数の照明のＯＮ−ＯＦＦ（点灯／消灯）動作や調光動作を一括して管理するシステムを提供することを目的としたものである。
【課題を解決するための手段】
【０００７】
本考案の請求項１に係る照明制御システムは、
一時的に設置される複数の照明を一括して管理するためのシステムであって、
上記複数の照明それぞれのＯＮ−ＯＦＦおよび／または調光を行うために上記複数の照明それぞれに対する電力供給を制御する照明制御手段と、
当該照明制御手段を制御するための集中制御手段と、
を有し、
上記集中制御手段は、
上記複数の照明それぞれのＯＮ−ＯＦＦ状態および／または調光状態を決定する状態管理項目を入力する入力手段である管理項目入力手段と、
当該状態管理項目に基づいて、上記照明制御手段に電気的信号を送信する信号送信手段と、
上記複数の照明それぞれのＯＮ−ＯＦＦ状態および／または調光状態を表示する照明状態表示手段と
を備えたものである。
【０００８】
本考案の請求項２に係る照明制御システムは、
上記一時的に設置される複数の照明は、建設現場において一時的に設置される複数の照明である
ことを特徴とするものである。
【０００９】
本考案の請求項３に係る照明制御システムは、
上記請求項１または２に係る照明制御システムにおいて、
上記状態管理項目は、上記複数の照明それぞれのＯＮ−ＯＦＦ状態および／または調光状態を開始および／または終了する時刻情報を含む
ことを特徴とするものである。
【００１０】
本考案の請求項４に係る照明制御システムは、
上記請求項１または３のいずれかに係る照明制御システムにおいて、
上記集中制御手段が広域通信網に接続され、
当該広域通信網によって接続された端末の要求に応じて、当該端末に対して上記複数の照明それぞれのＯＮ−ＯＦＦ状態および／または調光状態に関する情報を送信する
ことを特徴とするものである。
【００１１】
本考案の請求項５に係る照明制御システムは、
上記請求項１から４のいずれかに係る照明制御システムにおいて、
上記集中制御手段が広域通信網に接続され、
当該広域通信網によって接続された端末から、上記複数の照明それぞれのＯＮ−ＯＦＦ状態および／または調光状態に関する情報を受信し、
当該端末からの当該情報に基づいて、上記信号送信手段が上記照明制御手段に電気的信号を送信する
ことを特徴とするものである。
【００１２】
本考案の請求項６に照明制御システムは、
上記請求項１から５のいずれかに係る照明制御システムにおいて、
上記照明制御手段は、上記複数の照明に加えて、照明以外の電気機器のＯＮ−ＯＦＦおよび／または電力制御を行う
ことを特徴とするものである。
【００１３】
本考案の請求項７に照明制御システムは、
上記請求項１から６のいずれかに係る照明制御システムにおいて、
上記集中制御手段は認証手段をさらに有する
ことを特徴とするものである。
【考案の効果】
【００１４】
近年、地球温暖化等の諸問題を解決するために、省エネによる二酸化炭素の削減が重要な課題となっている。ＬＥＤ照明の実用化は、照明の消費電力削減に貢献するものの、依然として、全消費電力に対する照明の消費電力の割合は大きい。
本考案は、主にこの課題を解決するためになされたものであり、以下に示す多くの特長を有している。
【００１５】
第一に、数多くの照明を一元管理することが可能となる。これにより、管理者は照明の点灯状況を一目で把握することが可能となり、無駄な照明の点灯を減らすための施策を講じることができる。
例えば、タイムカード等と連動させ、すべての人員が帰宅したスペースの照明を確実に切ることができる。また、スマートフォン等からも操作が可能であるため、帰宅した人員が照明を消し忘れていないかを確認することが可能となり、消し忘れていた際には、直ぐに消灯を行うことができる。
また、調光機能を有している場合には、太陽光を利用できる午前中や昼間は照明の輝度を下げ、夜間は輝度を上げることを自動で行うことが可能である。
このような取り組みを行うことで、人員一人一人の省エネ意識を向上させるといった啓蒙効果も得られる。
【００１６】
第二に、建設現場のように一時的に数多くの照明を設置するような広い現場においては、配電盤が一か所に設けられ、照明を点灯あるいは消灯するために、長い距離を歩かなければならず、作業効率が落ちるといった課題があった。本考案においては、スマートフォン等からも操作が可能であるため、わざわざ長い距離を歩く必要がなくなる。また、不要な照明を小まめに消すことも容易になり、省エネにつながる。
【００１７】
第三に、照明の輝度を変化させることで、メッセージとして利用できる。緊急事態を知らせるためにも利用できるし、帰宅時刻が近づいていることを知らせることで、作業の効率化を促すこともできる。
【００１８】
本考案は、建設現場等の一時的に数多くの照明を設置する現場において、特に適した照明制御システムであるが、オフィスや家庭等においても有効なシステムである。
【図面の簡単な説明】
【００１９】
【図１】本考案に係る照明制御システムの構成を説明するためのブロック図である。
【図２】本考案に係る照明制御システムの状態管理項目の一例を示す図である。
【図３】本考案に係る照明制御システムの簡単な状態管理項目の画面の一例を示す図である。
【図４】本考案に係る照明制御システムの別の状態管理項目の一例を示す図である。
【考案を実施するための形態】
【００２０】
実施の形態．
本考案に係る照明制御システムに関して、以下において、図面を用いて説明する。なお、以下の説明は本考案に関する良好な一例を開示するものであり、本考案が当該実施の形態に限定されるものではない。例えば、本実施の形態において開示する照明制御システムの具体的な構成等は、良好な一例を示すに過ぎず、その他の可能性を否定するものでは無い。
【００２１】
＜構成＞
まず、照明制御システムの構成を図を用いて説明する。
図１は、照明制御システムの構成を説明するためのブロック図である。
本考案に係る照明制御システムは、複数の照明を一括して管理するためのシステムであって、上記複数の照明それぞれのＯＮ−ＯＦＦおよび／または調光を行うために上記複数の照明それぞれに対する電力供給を制御する照明制御手段１と、当該照明制御手段１を制御するための集中制御手段２とを主に有している。
上記集中制御手段２は、上記複数の照明それぞれのＯＮ−ＯＦＦ状態および／または調光状態を決定する状態管理項目を入力する入力手段である管理項目入力手段２ａと、当該状態管理項目２ａに基づいて、上記照明制御手段１に電気的信号を送信する信号送信手段２ｂと、上記複数の照明それぞれのＯＮ−ＯＦＦ状態および／または調光状態を表示する照明状態表示手段２ｃとを備えたものである。
【００２２】
照明：
照明は電球、蛍光灯、ＬＥＤといった一般的な照明器具である。輝度を調整するための調光機能を備えたものであっても良い。
【００２３】
照明制御手段：
照明制御手段１は配電される電力を分配し、複数の照明それぞれに対して電力を供給する機能を有している。すなわち、複数の照明それぞれをＯＮ−ＯＦＦする（点灯および消灯する）機能を有している。照明が調光機能を有している場合には、供給する電圧等を制御する調光機能を有していても良い。
【００２４】
また、複数の照明それぞれをＯＮ−ＯＦＦしたり調光したりする動作を、外部のＰＣ等から制御できるようにするためのインターフェースを備えている。ＰＣ等の情報端末は、ＲＳ−２３２Ｃ、ＵＳＢ、ＣＯＭ等のシリアル通信端子を備えているが、これらの端子からの信号を受信し、照明それぞれをＯＮ−ＯＦＦするためのリレーや、調光するためのボリュームを動作させることができるインターフェースであれば、どのようなものであっても良い。
【００２５】
＜集中制御手段２＞
集中制御手段２は、照明制御手段１を制御するためのソフトウエアがインストールされたＰＣや、ＰＣと同等の機能を有する情報端末である。照明制御手段１とは、有線あるいは無線で接続され、照明制御手段１を制御するために必要な信号を送信する信号送信手段２ｂを備えている。
この信号送信手段２ｂは、前述したシリアル通信端子であっても良いし、その他の出力端子であっても良い。あるいは、無線ＬＡＮ等の無線通信手段であっても良い。
【００２６】
また、集中制御手段２は、インターネットや携帯電話網といった広域通信網に接続されていることが望ましい。図１に示すように、集中制御手段２は、広域通信網４を介して別の端末３と双方向の情報通信を行う。ここで、別の端末３は、ＰＣやスマートフォン等である。広域通信網４によって接続された別の端末３の要求に応じて、別の端末３に対して、複数の照明それぞれのＯＮ−ＯＦＦ状態および／または調光状態に関する情報を送信する機能を有している。あるいは、広域通信網によって接続された別の端末３から、複数の照明それぞれのＯＮ−ＯＦＦ状態および／または調光状態に関する情報を受信し、この情報に基づいて、信号送信手段２ｂが照明制御手段１に電気的信号を送信する機能を有している。
【００２７】
なお、集中制御手段２は、ログインを行うための認証手段を有していることが望ましい。照明を操作する権限を持つ者だけに、ログインＩＤやパスワードを知らせることで、第三者が勝手に照明を操作することを防止できる。例えば、第三者によって不意に照明が消灯されるといったことを防止することができる。認証手段としては、他の認証方法、例えば、指紋認証等の生体認証を用いても良い。
【００２８】
管理項目入力手段２ａは、複数の照明それぞれのＯＮ−ＯＦＦ状態および／または調光状態を決定する状態管理項目を入力する入力手段である。例えば、照明制御手段１を制御するためのソフトウエアをインストールしたＰＣに、キーボード等の入力機器により、情報を入力することができる。
なお、管理項目入力手段２ａは、他のＰＣ等で作成された状態管理項目が記録された電子ファイルを読み込むといった機能であっても良い。
【００２９】
状態管理項目は、複数の照明それぞれを点灯するか、消灯するかを決定するための情報である。一例として図２に示すように、点灯を開始する時刻や点灯終了時刻といった時刻情報を含むものであっても良い。あるいは、照明が調光機能を有する場合には、輝度情報を含むものであっても良い。
図２は、各照明制御手段１それぞれが、グループＡとグループＢの５台の照明を制御する場合を示している。図では示していないが、グループごとに一括して項目を設定できるような入力機能を有していても良い。
【００３０】
管理項目入力手段２ａにおける状態管理項目の入力画面は、図２の画面において、開始や終了の時刻を書き換えることができる画面であっても良いし、もっと単純な画面であっても良い。例えば、図３に示すように、３０台の照明の状態が示された画面において、マウス等のポインティングデバイスでクリックすれば、照明のＯＮ−ＯＦＦを行えるようなシンプルな画面でも良い。図３においては、照明Ａ１からＡ５、Ｃ−７からＣ−１０が点灯状態にあり、その他の照明は消灯状態にある。そして、Ａ−７の照明を点灯させるためには、Ａ−７をマウスでクリックすれば良い。あるいは、スマートフォンのようなタッチパネルの画面であれば、Ａ−７にタッチすればよい。
もちろん、単純な入力画面と複雑な設定を行う入力画面とをともに有し、使用者の要求によって使い分けられるようにしても良い。
【００３１】
なお、図２には、照明状態表示手段２ｃも同時に示している。一番右側の列が、複数の照明それぞれの現在の状態を示している。これにより、広い現場の各所に設置された照明の現在の状態を、一括して把握し、一元管理することが可能である。
図３についても同様である。
【００３２】
＜動作＞
次に照明制御システムの動作について説明する。
照明に関する操作を行う者は、集中制御手段２に認証情報を入力しログインする。照明に関する操作を行う者が別の端末３であるスマートフォンからログインする場合は、認証情報を集中制御手段２に送信しログインする。
【００３３】
次に、管理項目入力手段２ａにより、例えば、上述したような状態管理項目の入力画面より入力を行う。図３において、Ａ−７をクリックした場合は、照明Ａ−７を点灯するという情報が、信号送信手段２ｂより照明制御手段１に対し電気的信号として送信すされる。この電気的信号を受けた照明制御手段１は、照明Ａ−７のリレーをＯＮにすることで、照明Ａ−７は点灯する。
また、照明状態表示手段２ｃを兼ねた図３の画面において、クリックされたＡ−７の横の表示は、点灯を示す白丸の表示に変わる。
【００３４】
図２において、照明Ａ−２の終了時刻を「１５：００」に書き換えた場合には、集中制御手段２は、自己が持つクロックが「１５：００」になると、信号送信手段２ｂより照明制御手段１に対し、照明Ａ−２を消灯させるための電気信号を送信する。この電気的信号を受けた照明制御手段１は、照明Ａ−２のリレーをＯＦＦにすることで、照明Ａ−２は消灯する。同時に、照明Ａ−２の「現在の状態」は消灯を示す表示に切り替わる。
【００３５】
＜別の構成＞
本考案に係る照明制御システムに関して説明を行ったが、この説明で示した構成に限定されることはなく、同様の機能を実現する異なる構成でも良い。
例えば、１００台の照明を制御する際においても、照明制御手段１を分けることなく、１つの照明制御手段１で１００台の照明を制御できるようにしても良い。
【００３６】
また、照明が輝度だけではなく、色も制御可能なものであれば、色も含めて調光できるようにしても良い。
【００３７】
あるいは、ＯＮ−ＯＦＦを１秒周期で１０回行うとか、輝度を３秒周期で１５秒変化さえるといった様々なパターンを集中制御手段２に予め登録し、管理項目入力手段２ａにより、パターンを選択して入力できるようにしても良い。建設現場において、事故等の異常が発生した際に、すべての照明を点滅させることで、作業員に注意を促すことができる。このような警報の代替機能だけではなく、照明の輝度を変化させることで、作業員に情報を伝達することが可能である。例えば、作業終了時刻が終了する３０分前に、照明の輝度を変化させ、作業員に作業終了時刻が近づいていることを知らせることもできる。
【００３８】
なお、本考案に係る照明制御システムを用いて、照明以外の電気機器に電力を供給することも可能である。例えば、高所作業車等に用いるバッテリーのように、充電のために大電力を必要とするものに使用することができる。複数のバッテリーを同時に充電しようとすると、全体の供給電力値を大きくする必要があるが、本考案に係る照明制御システムを用いれば、全体の供給電力値を大きくすることなく、複数のバッテリーを充電することが可能である。図４は、本考案に係る照明制御システムをバッテリーの充電に適用する場合の、管理項目の画面を示している。作業終了後の夜間の時間帯に、バッテリーを一台ずつ充電することが可能である。図４に示した例では、５台のバッテリーを２０時より１時間ごとに順に充電する場合を示している。
このように、全体の供給電力値を大きくすることなく、且つ夜間の時間帯に自動で複数台のバッテリーを充電することができる。
【００３９】
＜本考案のまとめ＞
近年、地球温暖化等の諸問題を解決するために、省エネによる二酸化炭素の削減が重要な課題となっている。ＬＥＤ照明の実用化は、照明の消費電力削減に貢献するものの、依然として、全消費電力に対する照明の消費電力の割合は大きい。
本考案は、このような課題を解決するためになされたものであり、以下に示す多くの特長を有している。
【００４０】
第一に、数多くの照明を一元管理することが可能となる。これにより、管理者は照明の点灯状況を一目で把握することが可能となり、無駄な照明の点灯を減らすための施策を講じることができる。
例えば、タイムカード等と連動させ、すべての人員が帰宅したスペースの照明を確実に切ることができる。また、スマートフォン等からも操作が可能であるため、帰宅した人員が照明を消し忘れていないかを確認することが可能であり、消し忘れていた際には、直ぐに消灯を行うことができる。
また、調光機能を有している場合には、太陽光を利用できる午前中や昼間は照明の輝度を下げ、夜間は輝度を上げることを自動で行うことが可能である。
このような取り組みを行うことで、人員一人一人の省エネ意識を向上させるといった啓蒙効果も得られる。
【００４１】
第二に、一時的に数多くの照明を設置するような広い現場においては、配電盤が一か所に設けられ、照明を点灯あるいは消灯するために、長い距離を歩かなければならず、作業効率が落ちるといった課題があった。本考案においては、スマートフォン等からも操作が可能であるため、わざわざ長い距離を歩く必要がなくなる。また、不要な照明を小まめに消すことも容易になり、省エネにつながる。
【００４２】
第三に、照明の輝度を変化させることで、メッセージとして利用できる。緊急事態を知らせるためにも利用できるし、帰宅時刻が近づいていることを知らせることで、作業の効率化を促すこともできる。
【００４３】
本考案は、建設現場等の一時的に数多くの照明を設置する現場において特に適した照明制御システムであるが、オフィスや家庭等においても有効なシステムである。
【符号の説明】
【００４４】
１  照明制御手段
２  集中制御手段
２ａ  管理項目入力手段
２ｂ  信号送信手段
２ｃ  照明状態表示手段
３  別の端末
４  広域通信網
【図１】
0003210991.tif 000003
【図２】
0003210991.tif 000004
【図３】
0003210991.tif 000005
【図４】
0003210991.tif 000006